(57)【要約】【課題】開封手段を備えた包装紙において、カットテープの位置を外観上容易に確認することができるようにする。【解決手段】片手で把持することが困難な大きさをした物品の少なくとも周胴面を被覆するのに十分な大きさをした包装紙本体１の内面１ａに、物品の周胴面を被覆した後に重着されることとなる包装紙本体の重着領域１１を避けて、包装紙本体を破断するのに十分な強度を有する帯状をしたカットテープ２を装着する。また、カットテープが装着された位置に相当する包装紙本体の外面１ｂにおいて、視認することが可能な目印５が施すものとする。この目印は、包装紙本体とは色彩が異なる、帯状の着色領域や帯状の模様領域、文字列、もしくは立体的な突出体とすることができる。また、カットテープの近傍に沿って破線状の小孔（ミシン目）を形成したものとしても良い。【選択図】図１
0003198403.tif 000002
【実用新案登録請求の範囲】
【請求項１】
片手で把持することが困難な大きさをした物品の少なくとも周胴面を被覆するのに十分な大きさをした包装紙本体と、
前記包装紙本体を破断するのに十分な強度を有する帯状をしたカットテープと、
から構成され、
前記カットテープは、物品を被覆するときに内側となる前記包装紙本体の内面に装着されており、
前記包装紙本体は、物品を被覆した後において露呈することとなる前記カットテープが装着された位置に相当する外面に、視認することが可能な目印が施されている、
ことを特徴とする開封手段を備えた包装紙。
【請求項２】
前記目印は、前記包装紙本体とは色彩が異なる帯状の着色領域であることを特徴とする請求項１に記載の開封手段を備えた包装紙。
【請求項３】
前記目印は、前記包装紙本体とは色彩が異なる帯状の模様領域であることを特徴とする請求項１に記載の開封手段を備えた包装紙。
【請求項４】
前記目印は、前記包装紙本体とは色彩が異なる文字列であることを特徴とする請求項１に記載の開封手段を備えた包装紙。
【請求項５】
前記目印は、立体的な突出体であることを特徴とする請求項１に記載の開封手段を備えた包装紙。
【請求項６】
前記カットテープは、前記包装紙本体の重着領域に沿って略平行に配されていることを特徴とする請求項１乃至５の何れか１項に記載の開封手段を備えた包装紙。
【請求項７】
前記包装紙本体は、前記カットテープの近傍に沿って破線状の小孔が形成されていることを特徴とする請求項１乃至６の何れか１項に記載の開封手段を備えた包装紙。
【請求項８】
前記包装紙本体は、矩形状をしたシート体であることを特徴とする請求項１乃至７の何れか１項に記載の開封手段を備えた包装紙。
【請求項９】
前記包装紙本体は、ロール状に巻回された長尺シート体であることを特徴とする請求項１乃至７の何れか１項に記載の開封手段を備えた包装紙。
【請求項１０】
前記包装紙本体は、巻き始め端部側もしくは巻き終わり端部側の何れか一方における一面側に粘着層が設けられていることを特徴とする請求項１乃至９の何れか１項に記載の開封手段を備えた包装紙。
【考案の詳細な説明】
【技術分野】
【０００１】
本願考案は、物品の表面が汚損等することの無いように被覆する包装紙に係り、詳しくは、包装紙の開封作業において被包装物を傷付けることなく、開封作業を効率良く、綺麗に、かつ、容易に行うことができるようにした開封手段を備える包装紙に関する。
【背景技術】
【０００２】
商品となる物品の表面が汚損等することの無いように包装紙によって被覆して包装する場合、被覆した後に重なることとなる包装紙の端部を接着剤等によって接合することが行われている。このような包装形態の包装体の場合、当該包装紙を手で破く等することで開封作業を行うことができるが、開封位置（破く位置）や開封の仕方（破き方）によっては包装紙が乱雑に細かく破れてしまい、開封作業に手間取ると共に、そのあと片づけが煩わしいものとなってしまうことがある。
【０００３】
また、包装紙が乱雑に破れてしまうことを防止すると共に、開封作業を効率良く行うことを目的として、カッターナイフ等の刃物を用いて包装紙を切断することも考えられるが、包装紙は厚みが薄いものであるため、注意深く行わないと誤って刃物が包装紙を突き破って被包装物である物品を傷付けてしまうおそれがある。
【０００４】
そこで、従来、包装紙の内面又は表裏両面にカットテープを貼着した、カットテープ付包装紙が提案されている（たとえば、特許文献１又は２を参照）。
このようなカットテープ付包装紙では、カットテープの端部を指で摘まんで引っ張ることで、カットテープに沿って包装紙が破断されることになり、包装紙の開封作業において被包装物を傷付けられることがないと共に、開封作業を効率良く、綺麗に、かつ、容易に行うことができるものとなる。
【０００５】
しかしながら、従来のカットテープ付包装紙の場合、被包装物である物品の大きさが片手で把持することが可能な小さな包装体であれば、カットテープの端部位置をすぐに探し出して効率良く、容易に開封作業を行うことができるが、被包装物である物品が片手で把持することが困難な大きさの包装体であると、カットテープの端部位置を探し出しことに時間を要し、効率良く、容易に開封作業を行うことができない場合がある。また、当該物品が片手で把持することが可能な大きさをしたものであっても、長尺なものであると、やはりカットテープの端部位置をすぐに探すことができない。さらに、当該物品を包装紙で幾重にも巻装した場合、カットテープの端部位置が一層探し辛いものとなってしまう。
【０００６】
すなわち、物品の大きさが片手で把持することが可能な小さな包装体において、一目見て開封作業において用いるカットテープの端部位置が確認できないのであれば、当該包装体を把持した状態で手首を回してその向きを適宜変えることで、カットテープの端部位置を素早く容易にその場で見つけ出すことができる。ところが、物品が片手で把持することが困難な大きさの包装体や、物品が長尺である包装体において、一目見て当該カットテープの端部位置が確認できない場合、包装体の向きをその場で手先だけで素早く変えることが容易にでないことから、頭の向き（位置）を変えて視認する角度を変えたり、身体ごと移動したりしてカットテープの端部位置を見つけ出す必要があり、カットテープの端部位置を素早く見つけ出すことができないものであった。
【０００７】
また、カットテープが包装体の下面側に位置していると、カットテープの端部位置が見つけ出し辛いことは勿論、カットテープの端部位置が分かったとしても、開封作業の前にあらかじめ当該包装体の向きを変更（調整）しなければ、カットテープを用いた開封作業を効率良く、容易に行うことができない。しかも、包装紙で幾重にも巻装することでカットテープの上に包装紙が重層的に存在していると、上層の包装紙によってカットテープの端部位置が隠れてしまい、カットテープの端部位置が一層見つけ出し辛いものとなってしまう。
このように、カットテープの端部位置が外観上容易に確認することができるか否かは、開封作業において時間的に支障をきたしてしまう一因となっていた。
【０００８】
さらに、カットテープに沿って破線状の小孔（いわゆる、ミシン目）を形成するようにした手段も知られているが、小孔は離れた場所からではその位置を確認することがし難く、小孔だけでは一目でカットテープの位置を確認することはできない。
【０００９】
ゆえに、包装紙本体を破断するカットテープの端部位置が外観上容易に確認することができるものであれば、開封作業を効率良く、容易に行うことができると共に、カットテープを用いた開封作業を考慮して、包装体の配置状態（カットテープの位置や向き）を事前に調整しておくものとすることができるが、出願人が知る限り、カットテープの位置を外観上容易に確認することができるようにした包装紙は未だ提案されていない。
【先行技術文献】
【特許文献】
【００１０】
【特許文献１】実公昭４５−３３１０９号公報
【特許文献２】実公昭４８−１６６２２号公報
【考案の概要】
【考案が解決しようとする課題】
【００１１】
本考案は、上記事情に鑑みて成されたものであり、カットテープの位置を外観上容易に確認することが出来、包装紙の開封作業を効率良く、綺麗に、かつ、容易に行うことができることを可能とした技術を提供することを目的とする。
【課題を解決するための手段】
【００１２】
本考案の開封手段を備えた包装紙は、片手で把持することが困難な大きさをした物品の少なくとも周胴面を被覆するのに十分な大きさをした包装紙本体と、前記包装紙本体を破断するのに十分な強度を有する帯状をしたカットテープとから構成され、前記カットテープは、物品を被覆するときに内側となる前記包装紙本体の内面に装着されており、前記包装紙本体は、物品を被覆した後において露呈することとなる前記カットテープが装着された位置に相当する外面に、視認することが可能な目印が施されていることを特徴とする。
【００１３】
本考案において、目印は、包装紙本体とは色彩が異なる帯状の着色領域とすることができる。また、目印は、包装紙本体とは色彩が異なる帯状の模様領域や、包装紙本体とは色彩が異なる文字列、又は立体的な突出体とすることもできる。
【００１４】
また、本考案において、カットテープは、包装紙本体の重着領域に沿って略平行に配されたものとすると望ましい。
また、本考案において、包装紙本体は、カットテープの近傍に沿って破線状の小孔が形成されたものとすると望ましい。
【００１５】
また、本考案において、包装紙本体は、矩形状をしたシート体とすることができる。
また、本考案において、包装紙本体は、ロール状に巻回された長尺シート体とすることもできる。
【００１６】
さらに、本考案において、包装紙本体は、巻き始め端部側もしくは巻き終わり端部側の何れか一方における一面側に粘着層が設けられているものとしても良い。
【考案の効果】
【００１７】
本考案の開封手段を備えた包装紙は、包装紙本体の内面に、単に、カットテープが装着されているものではなく、物品を被覆した後において露呈することとなるカットテープが装着された位置に相当する外面に、視認することが可能な目印が施されている。ゆえに、片手で把持することが困難な大きさの包装体や、物品が長尺である包装体であっても、露呈する目印によってカットテープの端部位置を素早く容易に見つけ出すことができるので、カットテープを用いた開封作業を効率良く、かつ、開封作業において被包装物を傷付けることなく、綺麗に包装紙本体の開封（破断）を容易に行うことができる。
【００１８】
また、本考案の開封手段を備えた包装紙は、事前に開封作業のことを考慮し、包装紙本体の外面に施された目印が一目で見えることとなる向きに包装体を配置することで、開封作業の直前になってカットテープの端部位置を見つけ出す作業や、さらに、その向きを変更（調整）するといった煩わしい作業を不要なものとし、開封作業が一層効率良く、容易に行えるものとすることができる。
【図面の簡単な説明】
【００１９】
【図１】本考案に係る開封手段を備えた包装紙を示す、（Ａ）内面側平面図、（Ｂ）外面側平面図である。
【図２】図１に示す包装紙の側面図である。
【図３】図１に示す包装紙を用いて物品を被覆する状態を示す平面図である。
【図４】図１に示す包装紙を用いて物品を被覆する状態を示す側面図である。
【図５】図１に示す包装紙を用いて物品を被覆した状態を示す斜視図である。
【図６】包装紙本体の外面に施した他の目印として、（Ａ）市松模様が施された状態を示す図、（Ｂ）文字列が施された状態を示す図である。
【図７】本考案に係る他の包装紙を示す、（Ａ）内面側平面図、（Ｂ）外面側平面図である。
【図８】本考案に係る他の包装紙を示す斜視図である。
【考案を実施するための形態】
【００２０】
次に、本考案の実施の形態の一例を図面に基づいて説明する。
なお、以下に述べる実施の形態は、本考案の好適な具体例であるため技術的に種々の限定が付されているが、本考案の範囲は、以下の説明において特に限定する旨の記載がない限り、これらの形態に限られるものではない。
【００２１】
図１及び図２に示すように、本実施の形態における開封手段を備えた包装紙１０は、包装紙本体１と、カットテープ２から構成されている。
包装紙本体１は、被包装体となる物品を被覆包装することが可能な柔軟な薄厚のシート体であって、カットテープ２によって破断することができるものであれば、素材は特に限定されるものではなく、たとえば、クラフト紙や合成樹脂フィルム、又はこれら紙材と合成樹脂材とを組み合わせたもの（具体的には、クラフト紙などにポリオレフィン系樹脂をラミネートしたもの）とすることができる。
【００２２】
本考案の包装紙１０で用いる包装紙本体１は、片手で把持することが困難な大きさをした物品の少なくとも周胴面を被覆するのに十分な大きさをしている。ここで、片手で把持することが困難な大きさとは、片手でその向きを変更・修正することが容易ではない大きさのことをいう。言い換えれば、片手で把持しながら全体を視認することができ、所望の向きとなるようにその位置を変更・修正することが困難な大きさのことをいう。
【００２３】
ゆえに、包装紙本体１の大きさや形状は特に限定されるものではなく、被包装体となる物品の大きさや形状に合わせて適宜設計することができる。具体的には、物品の周胴部に少なくとも一周巻き付け、その巻き始め端部を包装紙本体１に重ね合わせることができる重ね代を含んだ大きさ（長さ）を有しているものとなっている。
図１及び図２において、包装紙本体１は、矩形状をしたシート体として示されている。
【００２４】
カットテープ２は、包装紙１０を開封するための手段であって、包装紙本体１を破断するのに十分な強度を有する帯状体である。すなわち、カットテープ２は、包装紙本体１より強度の大きい材料を用いて形成されている。このようなカットテープ２としては、たとえば、長さ方向に向けて一軸延伸処理が施された所定の合成樹脂材料によって形成され、これによって長さ方向に向かう引張り応力が幅方向に向かう引張り応力より大きくされてちぎれ難くなっているものとすることができる。
【００２５】
また、カットテープ２としては、ナイロン糸や、金属製のワイヤといった幅の小さい紐状（線状）体とすることも考えられる。しかしながら、紐状をしたものであると、包装紙本体１に対する接触面積が少なく接着剤や加熱溶着等による装着強度が劣り、カットテープ２を引っ張る開封作業中に包装紙本体１から剥離して抜け落ちてしまうおそれがある。
【００２６】
ゆえに、包装紙本体１に対する接触面積が大きくなる帯状体とすることで、包装紙本体１に対する装着強度が増したものとなり、カットテープ２を引っ張る開封作業中にカットテープ２が包装紙本体１から剥離してしまうことがなく、確実に開封作業を行えるものとすることができる。このカットテープ２は、物品を被覆するときに内側となる包装紙本体１の内面１ａに接着剤等を用いて装着されている。
【００２７】
このカットテープ２は、包装紙本体１で物品の周胴面を被覆した後に重ね合わされて貼着されることとなる包装紙本体１の重着領域１１を避けてその内面１ａに接着剤等を用いて装着されている。この重着領域１１は、包装紙本体１を重ね合わせて貼着することに利用されることとなる領域であって、必ずしも重着領域１１の全てが貼着されることとなるものではない。
【００２８】
ゆえに、一片が９００ｍｍをした矩形状をした包装紙本体１であって、重着領域１１を包装紙本体１の端部から２００ｍｍとした場合、カットテープ２は、この重着領域１１を避けるように、包装紙本体１の端部から２００ｍｍ以上外側（包装紙本体１においては中央部より）に装着されるものとなる。
【００２９】
このようにカットテープ２は、包装紙本体１の重着領域１１を避けてその内面１ａに装着されたものであるので、開封作業において、カットテープ２による包装紙本体１の破断が包装紙本体１の重着領域（すなわち、重なって貼着されていない領域に比して強度が増して破断し辛くなっている領域）１１で引っ掛かったり、カットテープが途切れてしまったりすることなく、円滑に、かつ、綺麗に開封作業を行うことができるものとなる。
ゆえに、包装紙本体１を重着することで強度が増した箇所の破断を考慮して、カットテープ２の強度を高めるために必要以上に厚くする必要のないものとすることができる。
【００３０】
カットテープ２の大きさや厚みは特に限定されるものではなく、たとえば、厚みが０．０８２５ｍｍ、一片が９００ｍｍの矩形状をしたクラフト紙からなる包装紙本体１を物品に対して一重に巻装して包装するようにした場合、カットテープ２は、幅５ｍｍ、長さ９００ｍｍ、厚み０．０７５ｍｍをしたものを用いることができる。
【００３１】
また、包装紙本体１は、物品を被覆した後において露呈することとなる、カットテープ２が装着された位置に相当する外面１ｂに、視認することが可能な目印５が施されている。すなわち、目印５は、物品に対して一重に巻装することで露呈することとなる包装紙本体１の外面１ｂは勿論のこと、物品に対して幾重にも巻装することで露呈することとなる包装紙本体１の外面（すなわち、最外面）１ｂにおいて、カットテープ２に沿うように設けられたものとなっている。
【００３２】
ゆえに、物品に対して一重に巻装することとなる大きさをした包装紙本体１の場合は、カットテープ２が装着された位置に相当する包装紙本体１の外面１ｂ（裏側）に目印５が施されたものとなる。一方、物品に対して幾重にも巻装することとなる大きさをした包装紙本体１の場合は、カットテープ２が装着された位置を基準として、包装する物品の外周面の長さに包装紙本体１の巻装回数を乗じた距離に相当する包装紙本体１の外面１ｂに目印５が施されたものとなる。
【００３３】
なお、物品に対して幾重にも巻装することとなる大きさをした包装紙本体１の場合、目印５は、少なくとも巻装したときの包装紙本体１の最外面１ｂに施されていればよいものではあるが、カットテープ２が装着された位置を基準として、物品の外周面の長さに相当する位置ごとに、一層（一重）ずつ施されているものであっても良い。
【００３４】
この目印５は、包装紙本体１とは色彩が異なる帯状の着色領域とすることが望ましく、カットテープ２の幅よりも大きいものが望ましい。具体的には、たとえば、カットテープ２の幅が５ｍｍであれば、幅２０ｍｍ以上の帯状の着色領域とすることができる。
【００３５】
このように、包装紙本体１の外面１ｂに、包装紙本体１のとは色彩が異なる目印５を付すことで、カットテープ２の位置を一目で容易に見つけ出すものとすることができる。
図１（Ｂ）において、目印５は、物品に対して一重に巻装する場合の包装紙本体（包装紙）の外面に帯状の着色領域が印刷等によって施されたものとして示されている。
【００３６】
また、目印５は、包装紙本体１とは色彩が異なる帯状の模様領域や、文字列とすることもできる。すなわち、帯状の着色領域と同様に、包装紙本体１の外面１ｂにおいてカットテープ２の長さ方向に沿うように、色彩が異なる帯状の模様領域や、所望の文字列からなる目印５が施されたものとしても良い。
【００３７】
図６（Ａ）において、包装紙本体１の外面１ｂに、帯状の市松模様領域からなる目印５が施された一例が示されている。
また、図６（Ｂ）において、包装紙本体１の外面１ｂに、「ここから開封」なる文字列からなる目印５が繰り返し施された一例が示されている。
【００３８】
また、図示しないが、目印５は、半球状や円盤状等をした立体的な突出体とすることもできる。突出体とした場合においても、一目で容易に見つけ出すことができるように、包装紙本体１のとは異なる色彩が施されたものとすることが望ましい。
ただし、突出体の場合、突出度合いが小さいものは、一目で見つけ出すことが困難なものとなる場合があり、一方、突出度合いの大きなものは、厚みが大きくなって嵩張るものしまうため、突出度合いには注意を要する。
【００３９】
また、包装紙本体１は、巻き始め端部側もしくは巻き終わり端部側の何れか一方における一面側に粘着層９が設けられていると望ましい。この粘着層９は、包装紙本体１で物品の周胴面を被覆した後に巻装した包装紙本体１の端部を固定するための手段である。
図１（Ａ）において、粘着層９は、包装紙本体１の重着領域１１を有する側の端部とは対向する端部側であって、包装紙本体１の内面１ａに設けられたものとして示されている。
【００４０】
また、本考案においては、カットテープ２の長さ方向端部側において、包装紙本体１の端縁部に若干の切り込み６を施すものとしても良い。この切り込み６によってカットテープ２の端部を指先で掴む摘まみ部７が形成され、開封作業を効率良く行うものとすることができる。
図１（Ａ），（Ｂ）において、カットテープ２の長さ方向端部を挟むように両側近傍に切り込み６，６がそれぞれ設けられ、この二つの切り込み６，６で挟まれた間に摘まみ部７が形成されたものとして示されている。
【００４１】
また、カットテープ２は、物品の周胴面を被覆したとき、当該物品の周方向と略直交する向きに配されていると望ましい。すなわち、カットテープ２は、物品の周胴面を被覆することで重ね合わさることとなる包装紙本体１の重着領域１１に沿って略平行に装着されている。
これにより、包装紙本体１において重ね合わせて貼着することとなる箇所を避けつつ、最短距離で包装紙本体１を破断して開封作業を効率良く行うものとすることができる。
【００４２】
次に、本実施の形態における包装紙１０を用いて物品を被覆する場合について説明する。ここでは、便宜上、物品Ｍに対して包装紙本体１（包装紙１０）を一重に巻装する場合について説明する。
【００４３】
まず、図３に示すように、矩形状をしたシート体からなる包装紙本体１の内面１ａ側の略中央部に、カットテープ２の長さ方向に沿うように物品Ｍを載置する。物品Ｍの形状は、包装紙本体１によって被覆することができる大きさをしたものであれば特に限定されるものではない。具体的には、物品Ｍとして、たとえば、環状をした円筒芯材の周囲に長尺シート体（フィルムや不織布、紙、布等）を巻回することでロール状（円筒状）とした巻物物品を挙げることができる。
【００４４】
次いで、図４に示すように、図中の一点鎖線矢印にしたがって対向する二方向の端部側より、包装紙本体１を物品Ｍの周胴面巻き付けるようにして被覆した後、包装紙本体１の端部同士を重ね合わせて貼着する。このとき、包装紙本体１における巻き始め端部側もしくは巻き終わり端部側の何れか一方の一面側端部に粘着層９が設けられていると、重ね合わせ部の貼着作業を効率良く行うものとすることができる。
【００４５】
これにより、図５に示すように、包装紙本体１の外面１ｂに施した目印５が表面に露呈して物品Ｍが包み込まれたものとなる。その後、カットテープ２の長さ方向両端部側に飛び出した包装紙本体１の端縁部分を、それぞれ内側に折り込んで筒状体に包装された包装体とする。
【００４６】
そして、開封においては、折り込んだ包装紙本体１の端縁部分を引き起こし、包装紙本体１の端縁部分に設けられた一端側の摘まみ部７を摘んでカットテープ２を他端側へ向かって引っ張ることで、包装紙本体１を破断する。
これにより、包装紙本体１はカットテープ２に沿って綺麗に破断され、効率良く開封作業を行うことが出来、物品Ｍを取出すことができる。
【００４７】
また、本考案においては、図７に示すように、カットテープ２の近傍に沿って包装紙本体１に切り取り用の破線状の小孔（いわゆる、ミシン目）８が形成された包装紙２０とすることもできる。
【００４８】
ミシン目８は、包装紙２０を開封するための手段であって、カットテープ２による包装紙本体１の破断を補助するものである。このミシン目８は、カットテープ２の長さ方向に沿って片側または両側の近傍に形成することができる。
また、ミシン目８は、カットテープ２による包装紙本体１の綺麗な破断をより確実に補助するために、片側に付き一重または二重以上に形成したものとすることもできる。
【００４９】
このように、カットテープ２に沿ってミシン目８を形成することで、包装紙本体１の破断状態が乱れることなく、ミシン目８に沿って包装紙本体１が破断され易くなるものとなり、綺麗に且つ容易に、効率良く開封作業を行うことができる。
図７（Ａ），（Ｂ）において、ミシン目８は、包装紙本体１に装着したカットテープ２の長さ方向に沿って両側近傍に、片側一重にそれぞれ形成されたものとして示されている。
【００５０】
さらに、本考案においては、図８に示すように、長尺シート体からなる包装紙本体３１をロール状に巻回した包装紙３０とすることもできる。
包装紙本体３１は、包装する物品の大きさ（長さ）に合わせて適宜切断することで使用するものであり、図中に示す二点鎖線に沿って切断することで、一枚の包装紙として用いるものである。
【００５１】
具体的には、たとえば、図中のＩ−Ｉに沿って切断することで、図１及び２に示すような矩形状をした一枚の包装紙として用いることができ、また、図中のＩＩ−ＩＩに沿って切断することで、長尺な物品を被覆するための一枚の包装紙として用いることができるものとなる。
このように、包装紙本体３１を長尺シート体とすることで、物品が長尺体の場合であっても、当該物品の大きさ（長さ）に応じて適宜切断して使用することができる包装紙とすることができる。
【００５２】
図８において、包装紙本体３１は、その内面１ａに、重着領域１１を避けてカットテープ２を装着すると共に、同外面１ｂに、視認することが可能な目印５を施し、さらに、カットテープ２の長さ方向に沿って両側近傍にそれぞれ一重にミシン目８が形成されたものとして示されている。
【００５３】
なお、図８において、包装紙本体３１における巻き始め端部もしくは巻き終わり端部となる何れか一方の一面側端部に粘着層が示されていないが、勿論、粘着層が設けられたものとしても良い。この場合、包装紙本体３１の素材にもよるが、包装紙本体３１をロール状に巻回することで、粘着層が包装紙本体３１にくっ付いてしまい剥離が困難なものとなる場合には、粘着層の上に剥離紙を被覆したものとすると良い。
【００５４】
以上のように本考案によれば、包装体の外面にカットテープの装着位置を示す目印が露呈したものとなっているので、片手で把持することが困難な大きさの包装体や、物品が長尺である包装体であっても、カットテープの端部位置を離れた場所から素早く容易に見つけ出すことができる。
ゆえに、カットテープを用いた開封作業を効率良く綺麗に、かつ、容易に行うことができる。しかも、開封作業において、カッターナイフ等の刃物を用いる必要がないので、被包装物を傷付けてしまうこともない。
【００５５】
また、本考案によれば、外面に露呈した目印が視認できるように、その向きを考慮して包装体を配置することで、開封作業の直前になってカットテープの端部位置を見つけ出す手間が省けるものとなるので、開封作業が一層効率良く、容易に行えるものとすることができる。
【符号の説明】
【００５６】
Ｍ  物品（被包装体）、１，３１  包装紙本体、１ａ  内面、１ｂ  外面、２  カットテープ（開封手段）、５  目印、６  切り込み、７  摘まみ部、８  ミシン目（開封手段）、９  粘着層、１０，２０，３０  包装紙、１１  重着領域。
【図１】
0003198403.tif 000003
【図２】
0003198403.tif 000004
【図３】
0003198403.tif 000005
【図４】
0003198403.tif 000006
【図５】
0003198403.tif 000007
【図６】
0003198403.tif 000008
【図７】
0003198403.tif 000009
【図８】
0003198403.tif 000010